(57)【要約】【課題】間欠記録する映像データのずれを抑えることができる映像記録装置及び映像記録方法を提供することである。【解決手段】撮影した映像データをフィールド単位で順次読み出すことができる撮像デバイスと、フィールド単位の映像データを複数個記録することができるメモリと、撮像デバイスで順次読み出されるフィールド単位の映像データから、時間的に連続している複数個の映像データを所定の時間間隔ごとに取り込んでメモリへ記録するメモリ制御手段と、時間的に連続する複数個の映像データをメモリから読み出し、読み出した複数個の映像データを１つのフレーム映像データとして所定の記録媒体及び／又は記録装置に記録させるためのフレーム映像データ記録手段とを備える映像記録装置。【選択図】  図１
2004222054.tif 000002
【特許請求の範囲】
【請求項１】
撮影した映像データをフィールド単位で順次読み出すことができる撮像デバイスと、
前記フィールド単位の映像データを複数個記録することができるメモリと、
前記撮像デバイスで順次読み出されるフィールド単位の映像データから、時間的に連続している複数個の映像データを所定の時間間隔ごとに取り込んで前記メモリへ記録するメモリ制御手段と、
前記時間的に連続する複数個の映像データを前記メモリから読み出し、該読み出した複数個の映像データを１つのフレーム映像データとして所定の記録媒体及び／又は記録装置に記録させるためのフレーム映像データ記録手段と、を備えていること
を特徴とする映像記録装置。
【請求項２】
前記メモリ制御手段は、前記撮像デバイスから順次読み出されるフィールド単位の映像データのうち、時間的に連続する奇数フィールドと偶数フィールドの映像データを１対として取り込んで前記メモリに記録すること
を特徴とする請求項１に記載の映像記録装置。
【請求項３】
映像記録装置で映像を間欠記録する映像記録方法であって、
前記映像記録装置の撮像デバイスで順次読み出されるフィールド単位の映像データから時間的に連続した複数個の映像データを所定の時間間隔で取り込み、
該取り込んだ複数個の映像データを前記映像記録装置の所定のメモリに記録し、
前記メモリに記録した前記複数個の映像データを読み出し、
該読み出した複数個の映像データを１つのフレーム映像データとして所定の記録媒体及び／又は記録装置に記録すること
を特徴とする映像記録方法。
【請求項４】
前記所定の時間間隔で取り込む複数個の映像データは、時間的に連続する奇数フィールドと偶数フィールドを１対とした映像データであること
を特徴とする請求項３に記載の映像記録方法。
【発明の詳細な説明】
【０００１】
【発明の属する技術分野】
本発明は、映像記録装置及び映像記録方法に関する。詳しくは、撮像する映像データのずれを抑えて間欠記録できる映像記録装置及び映像記録方法に関する。
【０００２】
【従来の技術】
従来技術において、映像を間欠記録できる映像記録装置では、所定時間経過ごとに画像情報を１フレーム分ずつ格納し、格納された画像情報が所定のフレーム分（フレーム数）になると、この所定のフレーム分（フレーム数）の画像情報を読み出して、記録手段に記録するという方法で映像を間欠記録している（例えば、特許文献１参照。）。
【０００３】
【特許文献１】
特許第２６６９６４４号公報（第２頁、第３図）
【０００４】
ここで、映像記録装置における従来の間欠記録方法を図５を参照しながら説明する。
【０００５】
映像記録装置で撮像した映像は、撮像デバイスによりフィールド単位の映像データとして順次読み出され、読み出した順に付与されるフィールド番号によって、奇数フィールドの映像データ（以下、ｏｄｄという）と偶数フィールドの映像データ（以下、ｅｖｅｎという）とに区分される。
【０００６】
撮像デバイスは、タイミングジェネレータ（ＴＧ）に従って、フィールド単位の映像データであるｏｄｄとｅｖｅｎを交互に読み出す。
【０００７】
そして、間欠記録を行う場合は、マイコンなどの制御に従い、メモリに所定の時間間隔でｏｄｄとｅｖｅｎをそれぞれ交互に記録して行き、メモリに記録したｏｄｄとｅｖｅｎとを１対の映像データとして読み出し、１つのフレーム映像データとして記録媒体などに記録する。
【０００８】
例えば、図５に示すように、撮像デバイスは、タイミングジェネレータ（ＴＧ）に従ってフィールド単位の映像データを読み出す。
【０００９】
映像データは読み出された順にフィールド番号０をｅｖｅｎ（偶数フィールドの映像データ）、フィールド番号１をｏｄｄ（奇数フィールドの映像データ）、フィールド番号２をｅｖｅｎ・・・というようにｏｄｄ／ｅｖｅｎが交互に区分され、順次読み出される。
【００１０】
間欠記録を行っている場合、所定の時間がくるとｏｄｄ又はｅｖｅｎのうち何れか一方の映像データがメモリに記録される。図５では、フィールド番号１のｏｄｄがメモリに記録されたものとする。
【００１１】
そして、所定の時間が経過するまでは、メモリへは記録せず（アイドル状態）、次に所定の時間がくると、前回記録したときとは別（逆）フィールドの映像データをメモリに記録する。図５では、前回ｏｄｄ（フィールド番号１）をメモリに記録したので、ｅｖｅｎ（フィールド番号６）の映像データがメモリに記録される。
【００１２】
続いて、メモリにｏｄｄとｅｖｅｎ（図５では、フィールド番号１とフィールド番号６）の映像データが記録されると、この２フィールド分の映像データを１対の映像データとしてメモリから読み出し、１つのフレーム映像データとして記録媒体（記録装置）に記録する。
【００１３】
このようにして、フィールド単位の映像データであるｏｄｄとｅｖｅｎとを所定の時間間隔ごとに交互にメモリに記録し、ｏｄｄとｅｖｅｎ両方の映像データが記録されると、この２フィールド分の映像データを１対の映像データとして読み出し、１つのフレーム映像データとして記録媒体（記録装置）に記録して行く。
【００１４】
【発明が解決しようとする課題】
しかしながら、上述したような映像データの間欠記録方法では、メモリに記録するフィールド単位の映像データであるｏｄｄとｅｖｅｎとが時間的に離れているため、記録媒体（記録装置）に記録したフレーム映像データを再生した場合、再生映像にずれが生じてしまうという問題がある。
【００１５】
例えば、上述した図５のような方法では、フィールド番号１（ｏｄｄ）とフィールド番号６（ｅｖｅｎ）、フィールド番号１１（ｏｄｄ）とフィールド番号１６（ｅｖｅｎ）、フィールド番号２１（ｏｄｄ）とフィールド番号２６（ｅｖｅｎ）・・・がそれぞれ１対の映像データとして読み出されて１つのフレーム映像データとして記録媒体（記録装置）に間欠記録されて行く。
【００１６】
例えば、移動する被写体（左から右へ移動する円形の被写体）を記録媒体（記録装置）に間欠記録した映像を再生した場合、図６に示すように、ｏｄｄ（フィールド番号１、１１、２１・・・）とｅｖｅｎ（フィールド番号６、１６、２６・・・）とが時間的に離れているため、１つに合成されたフレーム映像データは、ｏｄｄ（フィールド番号１、１１、２１・・・）とｅｖｅｎ（フィールド番号６、１６、２６・・・）のフィールド映像データがずれた状態で合成され、ライン毎に織り込まれ、横縞が入ったような不自然な映像となって再生表示されるというような問題がある。
【００１７】
特に、動きの速い被写体などを間欠記録した場合、このような状態（フレーム映像データのずれた状態）が顕著になる。
【００１８】
従って、間欠記録する映像データのずれを抑えることができるような映像記録装置及び映像記録方法を提供することに解決しなければならない課題を有する。
【００１９】
【課題を解決するための手段】
前記課題を解決するため、本発明に係る映像記録装置及び映像記録方法は次のような構成にすることである。
（１）撮影した映像データをフィールド単位で順次読み出すことができる撮像デバイスと、前記フィールド単位の映像データを複数個記録することができるメモリと、前記撮像デバイスで順次読み出されるフィールド単位の映像データから、時間的に連続している複数個の映像データを所定の時間間隔ごとに取り込んで前記メモリへ記録するメモリ制御手段と、前記時間的に連続する複数個の映像データを前記メモリから読み出し、該読み出した複数個の映像データを１つのフレーム映像データとして所定の記録媒体及び／又は記録装置に記録させるためのフレーム映像データ記録手段と、を備えていることを特徴とする映像記録装置。
（２）前記メモリ制御手段は、前記撮像デバイスから順次読み出されるフィールド単位の映像データのうち、時間的に連続する奇数フィールドと偶数フィールドの映像データを１対として取り込んで前記メモリに記録することを特徴とする（１）に記載の映像記録装置。
【００２０】
（３）映像記録装置で映像を間欠記録する映像記録方法であって、前記映像記録装置の撮像デバイスで順次読み出されるフィールド単位の映像データから時間的に連続した複数個の映像データを所定の時間間隔で取り込み、該取り込んだ複数個の映像データを前記映像記録装置の所定のメモリに記録し、前記メモリに記録した前記複数個の映像データを読み出し、該読み出した複数個の映像データを１つのフレーム映像データとして所定の記録媒体及び／又は記録装置に記録することを特徴とする映像記録方法。
（４）前記所定の時間間隔で取り込む複数個の映像データは、時間的に連続する奇数フィールドと偶数フィールドを１対とした映像データであることを特徴とする（３）に記載の映像記録方法。
【００２１】
このような構成の映像記録装置及び映像記録方法により、映像記録装置の撮像デバイスで順次読み出されるフィールド単位の映像データから時間的に連続した複数個の映像データを所定の時間間隔で取り込み、取り込んだ複数個の映像データを映像記録装置の所定のメモリに記録し、メモリに記録した複数個の映像データを読み出し、読み出した複数個の映像データを１つのフレーム映像データとして記録媒体や記録装置に記録するので、記録されるフレーム映像データを構成するフィールド単位の映像データ同士の時間的なずれが最小限に抑えられる。
【００２２】
【発明の実施の形態】
次に、本発明に係る映像記録装置及び映像記録方法の実施の形態について図面を参照して説明する。但し、図面は専ら解説のためのものであって、本発明の技術的範囲を限定するものではない。
【００２３】
図１は、映像データを間欠記録できる映像記録装置の主要部の構成を略示的に示したブロック図であり、撮像デバイス１０、Ａ／Ｄ変換回路２０、メモリ３０、記録部４０、タイミングジェネレータ（ＴＧ）５０、マイコン６０などから構成される。
【００２４】
撮像デバイス１０は、タイミングジェネレータ（ＴＧ）５０の制御に従って、映像データの奇数フィールド（以下、ｏｄｄという）／偶数フィールド（以下、ｅｖｅｎという）を交互に読出してＡ／Ｄ変換回路２０へ送出する。
【００２５】
Ａ／Ｄ変換回路２０は、撮像デバイス１０から送られてくるフィールド単位の映像データをデジタル映像データに変換してメモリ３０に送出する。
【００２６】
メモリ３０は、マイコン６０のメモリコントロール部６２（後述）に従い、フィールド単位のデジタル映像データを所定個数記録したり、記録しているデジタル映像データを記録部４０に送出する。
【００２７】
記録部４０は、マイコン６０の記録コントロール部６３（後述）に従い、メモリ３０から送出されるデジタル映像データを所定の記録媒体４１や記録装置４２に記録する。
【００２８】
タイミングジェネレータ（ＴＧ）５０は、マイコン６０のＴＧコントロール部６１に従って、撮影した映像データをフィールド単位で順次読み出すように撮像デバイス１０を制御する。
【００２９】
マイコン６０は、ＴＧコントロール部６１、メモリコントロール部６２、記録コントロール部６３、インターバルカウンタ６４などを具備しており、各部１０〜５０や機器全体の制御を行う。
【００３０】
マイコン６０のＴＧコントロール部６１は、撮像デバイス１０が撮影した映像データのｏｄｄ／ｅｖｅｎをフィールド単位で順次読み出すようにタイミングジェネレータ（ＴＧ）５０を制御する。
【００３１】
マイコン６０のメモリコントロール部６２は、インターバルカウンタ６４（後述）のカウント値に基づいて、Ａ／Ｄ変換回路２０でデジタルデータに変換されたフィールド単位の映像データから時間的に連続した所定個数の映像データを取得してメモリ３０に記録したり（書き込んだり）、メモリ３０に記録された（書き込まれた）フィールド単位の映像データを１つのフレーム映像データとして記録部４０に送出するようにメモリ３０を制御する。
【００３２】
マイコン６０の記録コントロール部６３は、インターバルカウンタ６４（後述）のカウント値に基づいてメモリ３０から送出されるフレーム映像データをセットされた記録媒体４１（接続されている記録装置４２）に記録（書き込み）を行うように記録部４０を制御する。
【００３３】
マイコン６０のインターバルカウンタ６４は、間欠記録の制御を行うためマイコン６０内のＴＧコントロール部６１、メモリコントロール部６２、記録コントロール部６３の基準となるタイミングをカウントし、このカウント値に基づいて各部６１〜６３が動作する。
【００３４】
次に、このような映像記録装置における間欠記録動作の概要について説明する。
【００３５】
ＴＧ（タイミングジェネレータ）５０はマイコン６０のＴＧコントロール部６１により制御され、撮像デバイス１０からｏｄｄ（奇数フィールド）とｅｖｅｎ（偶数フィールド）の映像データを交互に読み出すように撮像デバイス１０を制御する。
【００３６】
ＴＧ（タイミングジェネレータ）５０により制御される撮像デバイス１０から出力されるフィールド単位の映像データ（アナログ）は、Ａ／Ｄ変換回路２０においてアナログからデジタルデータに変換される。
【００３７】
マイコン６０のメモリコントロール部６２は、インターバルカウンタ６４のカウント値に基づいてメモリ３０を制御し、Ａ／Ｄ変換回路２０から送出されるフィールド単位のデジタル映像データから所定の時間間隔で時間的に連続した所定個数の映像データを取得してメモリ３０に書き込み、メモリ３０に記録された（書き込まれた）１対となるフィールド単位の映像データを読み出して記録部４０へ送出する。なお、これらの処理以外のときはメモリ３０に対する処理はアイドル状態となる。
【００３８】
一方、マイコン６０の記録コントロール部６３は、インターバルカウンタ６４のカウント値に基づいて記録部４０を制御し、所定の時間間隔でメモリ３０から送出される１対のデジタル映像データ（フィールド単位の映像データ）を１つのフレーム映像データとして記録部４０にセットされている記録媒体４１（又は接続されている記録装置４２）に記録して行く。
【００３９】
このような一連の動作を繰り返すことにより撮影した映像の間欠記録が行われてゆく。
【００４０】
続いて、上述した構成及び動作の映像記録装置における間欠記録の具体的な制御フローについて図２を参照しながら説明する。
【００４１】
まず、上述した構成の映像記録装置で間欠記録を開始すると、記録開始時点において、撮像デバイス１０により読み出す映像データがｏｄｄ（奇数フィールド）であるか否かの判別を行う（ＳＴ１０）。
【００４２】
なお、ｏｄｄではなく、ｅｖｅｎ（偶数フィールド）を判別の基準としてもよいことは勿論のことであり、ｅｖｅｎを判別の基準とした場合は、以下に記載するｏｄｄを”ｅｖｅｎ”、ｅｖｅｎを”ｏｄｄ”に読み替えるものとする。
【００４３】
読み出す映像データがｏｄｄであるとき、マイコン６０のＴＧコントロール部６１は、ＴＧ（タイミングジェネレータ）５０に対してｏｄｄラインを読み出すように制御を行い、撮像デバイス１０からｏｄｄの映像データを読み出す（ＳＴ２０）。
【００４４】
読み出す映像データがｅｖｅｎであるとき、マイコン６０のＴＧコントロール部６１は、ＴＧ（タイミングジェネレータ）５０に対してｅｖｅｎラインを読み出すように制御を行い、撮像デバイス１０からｅｖｅｎの映像データを読み出す（ＳＴ３０）。
【００４５】
そして、フィールド単位の映像データの読み出しが完了するとインターバルカウンタ６４のカウント値を加算（インクリメント）する（ＳＴ４０）。
【００４６】
なお、インターバルカウンタ６４のカウント値は、間欠記録を行うための時間間隔を判別するための処理に使用され、メモリへの書き込み処理が終了するとクリアされる。
【００４７】
次に、インターバルカウンタ６４のカウント値に基づいて、撮像デバイス１０からの映像データ（フィールド単位）をメモリ３０に書き込むか否かの判別処理を行う（ＳＴ５０）。
【００４８】
インターバルカウンタ６４のカウント値が所定のカウント値以上である場合は、撮像デバイス１０から読み出した映像データ（フィールド単位）をメモリ３０に書き込む処理（図２点線部のブロック１）へ移行する（ＳＴ５０→ＳＴ６０）。
【００４９】
インターバルカウンタ６４のカウント値が所定のカウント値未満である場合は、メモリ３０に記録されている映像データ（フィールド単位）の読み出処理を行うか否かの判別処理（図２点線部のブロック２）へ移行する（ＳＴ５０→ＳＴ７０へ）。
【００５０】
ここで、インターバルカウンタ６４の値が所定のカウント値以上であった場合、メモリコントロール部３０の制御に従い、撮像デバイス１０から読み出したｏｄｄの映像データをメモリ３０に書き込む（ＳＴ６０）。
【００５１】
次に、メモリ３０にｏｄｄの映像データが書き込まれると、メモリコントロール部６２はメモリ３０のメモリアドレスを加算処理して、メモリ３０にｅｖｅｎの映像データの書き込みアドレスをセットする（ＳＴ６１）。
【００５２】
これは、時間的に連続した２フィールド分（ｏｄｄとｅｖｅｎ）の映像データを１つのフレーム映像データとして記録するため、撮像デバイス１０から読み出した別（逆）フィールドの映像データを書き込むためのメモリアドレスをセットする処理である。
【００５３】
続いて、書き込んだ映像データがｅｖｅｎであるか否かの判別処理を行い、時間的に連続したフィールドの映像データ（この場合はｅｖｅｎ）がメモリ３０に書き込まれているか否かを判別処理する（ＳＴ６２）。
【００５４】
この判別処理は、時間的に連続した２フィールド分（ｏｄｄとｅｖｅｎ）の映像データを撮像デバイス１０から読み出し、メモリ３０に書き込む処理が終了したか否かを確認するための処理である。
【００５５】
この判別処理で、書き込んだ映像データがｅｖｅｎでない場合、即ち、２フィールド分の映像データがメモリ３０に書き込まれていない場合は、映像データのメモリへの書き込み処理を終了する（ＳＴ６２→エンド）。
【００５６】
この判別処理で、書き込んだ映像データがｅｖｅｎであった場合、即ち、２フィールド分の映像データがメモリ３０に書き込まれている場合、メモリコントロール部６２は、映像データの読出し処理の事前処理として、メモリ３０に記録してあるフィールド単位の映像データを読み出すための読出しフラグを「Ｈｉｇｈ」にセットする（ＳＴ６３）。
【００５７】
そして、マイコン６０は、次回の映像データ書込み処理のために、インターバルカウンタ６４のカウント値をクリアし、続いて、メモリコントロール部６２は、次回の映像データ書き込み処理のため、メモリ３０のメモリアドレスをクリアして、一連の映像データ書き込み処理を終了する（ＳＴ６４、ＳＴ６５）。
【００５８】
このように、前回メモリ３０に書き込んだ時と別（逆）フィールドの映像データを書き込んだ時にカウント値をクリアし、更にメモリ３０のメモリアドレスをクリアすることによって、メモリ３０に時間的に連続した２フィールド分（ｏｄｄとｅｖｅｎ）の映像データを書き込み、続いて、次回の映像データ書き込みのための事前処理を行う。
【００５９】
一方、上述したステップＳＴ５０において、インターバルカウンタ６４のカウント値が所定の値未満であった場合について説明する。
【００６０】
このような場合、メモリ３０に記録されているフィールド単位の映像データを記録部４０に記録するか否かの判別処理を行う（ＳＴ５０→ＳＴ７０）。
【００６１】
このとき、メモリ３０に記録されいてるフィールド単位の映像データを読み出すか否かは、読出しフラグが「Ｈｉｇｈ」か「Ｌｏｗ」によって判別される。
【００６２】
読出しフラグが「Ｌｏｗ」である場合、メモリコントロール部６２はメモリ３０に対する書き込みや読み出しは行わず、処理状態をアイドル状態として一連の処理を終了する。（ＳＴ７０→ＳＴ７７）。
【００６３】
読出しフラグが「Ｈｉｇｈ」である場合、メモリコントロール部６２はメモリ３０を制御し、メモリ３０は記録されているフィールド単位の映像データ（ｏｄｄ又はｅｖｅｎ）を読み出して出力する（ＳＴ７０→ＳＴ７１）。
【００６４】
次に、記録コントロール部６３は記録部４０を制御し、メモリ３０から出力されたフィールド単位の映像データ（ｏｄｄ又はｅｖｅｎ）を記録部４０にセットしてある記録媒体４１や記録装置４２に書き込む（ＳＴ７２）。
【００６５】
メモリコントロール部６２は、記録部４０にセットしてある記録媒体４１や記録装置４２にメモリ３０から出力されたフィールド単位の映像データ（ｏｄｄ又はｅｖｅｎ）が書き込まれると、１対となる他方の映像データ（フィールド単位）を読み出すため、メモリ３０のメモリアドレスを加算処理する（ＳＴ７３）。
【００６６】
これは、時間的に連続し、１対となるｏｄｄとｅｖｅｎ、２フィールド分の映像データを１つのフレーム映像データとして記録媒体４１や記録装置４２に記録するため、撮像デバイス１０から読み出したものと別（逆）フィールドの映像データを読み出すためにメモリアドレスをセットする処理である。
【００６７】
続いて、メモリ３０から読み出した映像データ（フィールド単位）がｅｖｅｎであるか否かの判別処理を行い、１対となる他方の映像データ（この場合はｅｖｅｎ）がメモリ３０から読み出されたか否かの判別処理を行う（ＳＴ７４）。
【００６８】
この判別処理は、メモリ３０から２フィールド分（ｏｄｄとｅｖｅｎ）の映像データを読み出し、記録媒体４１や記録装置４２に対する書き込み処理が終了したか否かを確認するための処理である。
【００６９】
この判別処理で、読み出した映像データがｅｖｅｎでない場合、即ち、時間的に連続した２フィールド分（ｏｄｄとｅｖｅｎ）の映像データが読み出されていない場合は、一連の処理を終了する（ＳＴ７４→エンド）。
【００７０】
この判別処理で、読み出した映像データがｅｖｅｎである場合、即ち、時間的に連続した２フィールド分（ｏｄｄとｅｖｅｎ）の映像データがメモリ３０から読み出されていた場合、メモリコントロール部６２は、次回の映像データ読出し処理の事前処理として、メモリ３０に記録したフィールド単位の映像データを読み出すための読出しフラグを「Ｌｏｗ」にセットする（ＳＴ７５）。
【００７１】
続いて、メモリコントロール部６２は、次回の映像データ読み出し処理のため、メモリ３０のメモリアドレスをクリアして、一連の映像データ読み出し処理（ブロック２）を終了する（ＳＴ７６→エンド）。
【００７２】
このように、前回メモリ３０から読み込んだ時と別（逆）フィールドを読み込んだ時にメモリアドレスをクリアすることによって、次回の映像データ読み出しのための事前処理を行うものである。
【００７３】
次に、上述した図２の制御フローに従って間欠記録した映像データについて図３を参照しながら説明する。
【００７４】
図３は、時間的に連続した２フィールド分（ｏｄｄとｅｖｅｎ）の映像データを１つのフレーム映像データとして間欠記録したときの様子を略示的に示したものである。
【００７５】
上述した図２の制御フローに従い、まず、マイコン６０のＴＧコントロール部６１はＴＧ（タイミングジェネレータ）５０を制御し、図３に示すように撮像デバイス１０からｏｄｄ（フィールド番号１）の映像データを読み出し、読み出した映像データをメモリ３０に書き込む。
【００７６】
次に、１つのフレーム映像データを構成するために必要となる、時間的に連続したフィールド、即ち、次のｅｖｅｎ（フィールド番号２）の映像データを読み出し、読み出した映像データをメモリ３０に書き込む。
【００７７】
時間的に連続した２フィールド分（ｏｄｄとｅｖｅｎ）の映像データがメモリ３０に書き込まれると、記録されたフィールド単位の映像データが順次メモリ３０から読み出される。
【００７８】
この場合は、まず、メモリ３０に記録されたｏｄｄ（フィールド番号１）の映像データが読み出され、次にｅｖｅｎ（フィールド番号２）の映像データがメモリ３０から読み出される。
【００７９】
そして、記録部４０は、メモリ３０から読み出されたフィールド単位の映像データであるｏｄｄ（フィールド番号１）とｅｖｅｎ（フィールド番号２）を１対として記録することにより、１つのフレーム映像データとして記録媒体４１（又は接続されている記録装置４２）に記録する。
【００８０】
記録部４０によって記録媒体４１（又は接続されている記録装置４２）に記録が為されると、マイコン６０は、インターバルカウンタ６４に従って、撮像デバイス１０から次の映像データ（フィールド単位）を読み出すまでの間、メモリ３０への書き込み／読み出し処理をアイドル状態とする。
【００８１】
このような一連の動作が所定の時間間隔で繰り返し行われ、装置で撮影した映像が間欠記録される。なお、時間的に連続した２フィールド分（ｏｄｄとｅｖｅｎ）の映像データを１対とし、複数対の映像データを１つのフレーム映像データとして記録することも可能であることは勿論のことである。
【００８２】
次に、図２及び図３で説明した手順で間欠記録した映像データの再生状態について図４を参照しながら説明する。
【００８３】
図４は、移動する被写体（左から右へ移動する円形の被写体）を間欠記録し、再生したときの様子を略示的に示したものである。
【００８４】
図３を参照して説明すると、まず、ｏｄｄ（フィールド番号１）とｅｖｅｎ（フィールド番号２）、次にｏｄｄ（フィールド番号１１）とｅｖｅｎ（フィールド番号１２）、次にｏｄｄ（フィールド番号２１）とｅｖｅｎ（フィールド番号２２）・・・というように、所定の時間間隔で時間的に連続した２フィールド分（ｏｄｄとｅｖｅｎ）の映像データがメモリ３０に書き込まれ、時間的に連続した２フィールド分（ｏｄｄとｅｖｅｎ）の映像データがメモリ３０に書き込まれると、記録されたフィールド単位の映像データが順次メモリ３０から読み出され、時間的に連続した２フィールド分（ｏｄｄとｅｖｅｎ）の映像データが１つのフレーム映像データとして記録媒体４１（記録装置４２）などに記録されて行く。
【００８５】
従って、ｏｄｄ（フィールド番号１、１１、２１・・・）とｅｖｅｎ（フィールド番号２、１２、２２・・・）は時間的に連続しているのでずれがほとんどなく、記録媒体４１（記録装置４２）などに記録されるフレーム映像データを再生した場合においても、各フィールド映像データ（図４（ａ）〜（ｃ））のずれはほとんどない状態で再生表示されてゆく。
【００８６】
【発明の効果】
以上説明したように、映像記録装置で間欠記録するとき、撮像デバイスで順次読み出されるフィールド単位の映像データから、所定の時間間隔で時間的に連続した複数個（２フィールド分（ｏｄｄとｅｖｅｎ））の映像データを１対として取り込んでメモリに書き込むので、フィールド単位の映像データ同士（ｏｄｄとｅｖｅｎ）の時間的なずれはほとんどない。
【００８７】
そして、書き込んだフィールド単位の映像データをメモリから読み出して１つのフレーム映像データとして記録媒体や記録装置などに記録するので、時間的に連続したフィールド単位の映像データで構成されたフレーム映像データが記録媒体（記録装置）に記録されることとなり、記録した映像を再生したときの各フレーム映像データは、時間的なずれがほとんどない状態で再生がなさてれゆくため、ずれのない自然な映像が表示されるという優れた効果を奏するものである。
【図面の簡単な説明】
【図１】本発明に係る映像記録装置の構成を略示的に示したブロック図である。
【図２】図１に示した映像記録装置の制御フローを示したフローチャートである。
【図３】図２の制御フローに従ってフィールド単位の映像データを記録する様子を略示的に示した説明図である。
【図４】本発明に係る映像記録装置により記録した映像データを再生表示したときの様子を略示的に示した説明図である。
【図５】従来技術の映像記録装置による間欠記録の様子を略示的に示した説明図である。
【図６】従来技術の映像記録装置により記録した映像データを再生表示したときの様子を略示的に示した説明図である。
【符号の説明】
１０；撮像デバイス、２０；Ａ／Ｄ変換回路、３０；メモリ、４０；記録部、５０；ＴＧ（タイミングジェネレータ）、６０；マイコン、６１；ＴＧコントロール部、６２；メモリコントロール部、６３；記録コントロール部、６４；インターバルカウンタ
【図１】
2004222054.tif 000003
【図２】
2004222054.tif 000004
【図３】
2004222054.tif 000005
【図４】
2004222054.tif 000006
【図５】
2004222054.tif 000007
【図６】
2004222054.tif 000008